【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  レンズ鏡筒の固定筒と、該固定筒に装着される環状の三脚座との間に装着される三脚座アダプターであって、
前記三脚座アダプターは、前記固定筒の外周に装着され前記三脚座が取り付け可能な取り付け外径を形成するアダプター本体部と、該アダプター本体部の内周に形成され前記固定筒に形成された係合部に係合するアダプター側係合部と、該アダプター本体部の外周に形成され前記三脚座に形成された係合導入部に係合する三脚座用係合部とを有することを特徴とする三脚座アダプター。
【請求項２】  前記アダプター本体部は弾性部材によりＣ型形状に形成されていることを特徴とする請求項１記載の三脚座アダプター。
【請求項３】  前記アダプター本体部は形状記憶合金によりＣ型形状に形成されていることを特徴とする請求項１記載の三脚座アダプター。
【請求項４】  前記アダプター本体部は弾性部材によりＯ型形状に形成されていることを特徴とする請求項１記載の三脚座アダプター。
【請求項５】  固定筒に形成された係合部と、
前記固定筒の外周に装着され三脚座が取り付け可能な取り付け外径を形成するアダプター本体部と、該アダプター本体部の内周に形成され前記固定筒に形成された前記係合部に係合するアダプター側係合部と、該アダプター本体部の外周に形成され前記三脚座に形成された係合導入部に係合する三脚座用係合部とを有する三脚座アダプターと、
を有することを特徴とするレンズ鏡筒。
【手続補正２】
【補正対象書類名】明細書
【補正対象項目名】０００１
【補正方法】変更
【補正の内容】
【０００１】
【発明の属する技術分野】
本発明は、三脚座の使用頻度が少ない撮影レンズに対し、取り付け径の合わない汎用、既存の三脚座を使用可能とするための三脚座アダプターおよびそれを用いたレンズ鏡筒に関するものである。
【手続補正３】
【補正対象書類名】明細書
【補正対象項目名】０００７
【補正方法】変更
【補正の内容】
【０００７】
【発明の実施の態様】
本発明は、レンズ鏡筒の固定筒と、該固定筒に装着される環状の三脚座との間に装着される三脚座アダプターであって、前記三脚座アダプターは、前記固定筒の外周に装着され前記三脚座が取り付け可能な取り付け外径を形成するアダプター本体部と、該アダプター本体部の内周に形成され前記固定筒に形成された係合部に係合するアダプター側係合部と、該アダプター本体部の外周に形成され前記三脚座に形成された係合導入部に係合する三脚座用係合部とを有することにより、レンズ鏡筒の取り付け径に関係なく、三脚座の取り付けができる。また本発明はアダプター本体部は弾性部材によりＣ型形状に形成されていることにより、Ｃ型形状部分を拡張してレンズ鏡筒側係合部に係合できるので、取り付けが簡便に行える。
【手続補正４】
【補正対象書類名】明細書
【補正対象項目名】０００８
【補正方法】変更
【補正の内容】
【０００８】
本発明はアダプター本体部が形状記憶合金によりＣ型形状に形成されていることにより、レンズ鏡筒側係合部に係合することにより変形した際に復元することが可能になる。また本発明はアダプター本体部がゴムなどの弾性部材によりＯ型形状に形成されていることにより、レンズ鏡筒側係合部に係合させる際に全体を拡張させて容易に取り付けることが可能となる。
【手続補正５】
【補正対象書類名】明細書
【補正対象項目名】０００９
【補正方法】変更
【補正の内容】
【０００９】
本発明は、固定筒に形成された係合部と、前記固定筒の外周に装着され三脚座が取り付け可能な取り付け外径を形成するアダプター本体部と、該アダプター本体部の内周に形成され前記固定筒に形成された前記係合部に係合するアダプター側係合部と、該アダプター本体部の外周に形成され前記三脚座に形成された係合導入部に係合する三脚座用係合部とを有する三脚座アダプターとを有することにより、レンズ鏡筒に三脚座の取り付けを取り付け径に関係なくできる。
【手続補正６】
【補正対象書類名】明細書
【補正対象項目名】００１０
【補正方法】変更
【補正の内容】
【００１０】
【実施例】
以下、本発明の一実施例を図１ないし図８に基づいて説明する。図１は本実施例のためのレンズ鏡筒の側面図、図２はその固定筒の展開図、図３は三脚座アダプターの平面図、図４はその斜視図、図５はレンズ鏡筒の固定筒に三脚座アダプター係合時の要部断面図、図６は三脚座アダプターを装着したレンズ鏡筒の側面図、図７は三脚座の正面図、図８は三脚座を取り付けたレンズ鏡筒の側面図である。図１及び図２において、１はレンズ鏡筒の固定筒で、その後端側に小径部１ａを有し、該小径部１ａには凹形状をなす固定筒係合部１ｂが間隔を置いて全周に３個形成されている。また、図３及び図４において、２は三脚座アダプターを構成するアダプター本体部で、ＰＯＭ等の樹脂材料でＣ型形状に形成されている。アダプター本体部の内周部は鏡筒装着のための取り付け径部２ａとなるとともに、該レンズ鏡筒の固定筒１に形成した固定筒係合部１ｂに係合するための凸形状をなすアダプター係合部２ｂが形成されている。またアダプター本体部２の外周部には後記する三脚座３と係合するための三脚座用係合部である三脚座コロ２ｃが一体的に形成され、さらに内周部には周方向に形成した溝にレンズ鏡筒取り付け時のクッションとなるテレンプ２ｄが取り付けてある。ここで、アダプター本体部２の外周径は図５、図６、図８に示すように、アダプター本体部２をレンズ鏡筒の固定筒１の小径部１ａに装着した状態で、後述する三脚座３の三脚座アダプター取り付け径部３ｃに対応する取り付け径を形成する構成となっている。
【手続補正７】
【補正対象書類名】明細書
【補正対象項目名】００１１
【補正方法】変更
【補正の内容】
【００１１】
図７において、３は環状の三脚座で、その環状の内周部にはアダプター本体部２に形成された三脚座コロ２ｃと係合する係合導入部３ｂを有する三脚座アダプター取り付け径部３ｃを形成し、その一部に設けた切り割り部３ｄには締付けねじ３ａが取り付けられている。
【手続補正８】
【補正対象書類名】明細書
【補正対象項目名】００１２
【補正方法】変更
【補正の内容】
【００１２】
以上の構成のレンズ鏡筒に三脚座を装着するには、まず、図５に示すように三脚座アダプターのアダプター本体部２をレンズ鏡筒の固定筒１の小径部１ａに装着する際に、アダプター係合部２ｂを固定筒係合部１ｂに係合することにより、アダプター本体部２は固定筒１に対し、スラスト方向及びラジアル方向を保持される。この装着の際に、アダプター本体部２は弾性のあるＣ型形状をしているために、Ｃ型形状を拡張して固定筒１の小径部１ａに取り付けることができ、さらに、固定筒１の小径部１ａよりアダプター本体部２の取り付け径部２ａを若干小さく設定することで、図６に示すようにＣ型形状の弾性によりアダプター本体部２はレンズ鏡筒の固定筒１と一体化したように保持される。
【手続補正９】
【補正対象書類名】明細書
【補正対象項目名】００１３
【補正方法】変更
【補正の内容】
【００１３】
次いで、三脚座３を、締め付けねじ３ａを緩めた状態でその係合導入部３ｂをアダプター本体部２の外周の三脚座コロ２ｃと合わせつつ三脚座３を取り付け、締付けねじ３ａを締め付けることにより、図８に示すようにレンズ鏡筒を任意の角度位置で固定することができる。
【手続補正１０】
【補正対象書類名】明細書
【補正対象項目名】００１５
【補正方法】変更
【補正の内容】
【００１５】
【発明の効果】
以上説明したように、本発明によれば、レンズ鏡筒の固定筒と、該固定筒に装着される環状の三脚座との間に装着される三脚座アダプターであって、前記三脚座アダプターは、前記固定筒の外周に装着され前記三脚座が取り付け可能な取り付け外径を形成するアダプター本体部と、該アダプター本体部の内周に形成され前記固定筒に形成された係合部に係合するアダプター側係合部と、該アダプター本体部の外周に形成され前記三脚座に形成された係合導入部に係合する三脚座用係合部とを有することにより、レンズ鏡筒自体を大型化することなく、汎用の三脚座の取り付けができる。また本発明はアダプター本体部は弾性部材によりＣ型形状に形成されていることにより、Ｃ型を拡張してレンズ鏡筒側係合部に係合できるので、取り付けが簡便に行うことができる。また本発明はアダプター本体部が形状記憶合金によりＣ型形状に形成されていることにより、変形した際に復元することが可能になる。
【手続補正１１】
【補正対象書類名】明細書
【補正対象項目名】００１６
【補正方法】変更
【補正の内容】
【００１６】
また本発明はアダプター本体部がゴムなどの弾性部材によりＯ型形状に形成されていることにより、レンズ鏡筒側係合部に係合させる際に全体を拡張させて容易に三脚座アダプターの装着が可能となる。
【手続補正１２】
【補正対象書類名】明細書
【補正対象項目名】００１７
【補正方法】変更
【補正の内容】
【００１７】
また本発明は、固定筒に形成された係合部と、前記固定筒の外周に装着され三脚座が取り付け可能な取り付け外径を形成するアダプター本体部と、該アダプター本体部の内周に形成され前記固定筒に形成された前記係合部に係合するアダプター側係合部と、該アダプター本体部の外周に形成され前記三脚座に形成された係合導入部に係合する三脚座用係合部とを有する三脚座アダプターとを有することにより、レンズ鏡筒に三脚座の取り付けを取り付け径に関係なくできる。